(57)【特許請求の範囲】
【請求項１】
ドアホン子器を信号線で接続した複数のワイヤレス中継器と、複数のワイヤレスインターホンとで構成されるワイヤレスインターホンシステムであって、
上記ワイヤレスインターホンのいずれかは、いずれかのワイヤレス中継器との間で、所定のワイヤレス信号の送受をすることによって、上記いずれかのワイヤレス中継器に接続されるドアホン子器との通話をする構成としており、
上記ワイヤレス信号は、同じ制御コマンドを規定した複数のデータフレームを含んでおり、
上記ワイヤレス中継器及び上記ワイヤレスインターホンは、複数のデータフレームのうち、何番目のデータフレームを受信するかによって、そのデータフレームで規定される制御コマンドを実行するタイミングを決定する構成としたワイヤレスインターホンシステム。
【請求項２】
ドアホン子器を信号線で接続した複数のワイヤレス中継器と、複数のワイヤレスインターホンとで構成されるワイヤレスインターホンシステムであって、
上記ワイヤレスインターホンのいずれかは、いずれかのワイヤレス中継器との間で、所定のワイヤレス信号の送受をすることによって、上記いずれかのワイヤレス中継器に接続されるドアホン子器との通話をする構成としており、
手動操作によってワイヤレス信号を出力するワイヤレスコール機器を組み合わせて構成しており、
上記ワイヤレスインターホンのうち、いずれか１台をワイヤレスインターホン親機とし、その親機のみに、自身以外の全ての機器を登録設定する構成としたワイヤレスコールインターホンシステム。
【請求項３】
請求項１または２において、
上記ワイヤレスインターホン間で、所定のワイヤレス信号の送受をすることによって、上記ワイヤレスインターホン間の内線通話をする構成としたワイヤレスインターホンシステム。
【請求項４】
請求項１または２において、
上記ワイヤレス中継器と上記ワイヤレスインターホンとの間で、所定のワイヤレス信号の送受をすることによって、上記ワイヤレスインターホンで上記ドアホン子器のモニタリングをする構成としたワイヤレスインターホンシステム。
【請求項５】
請求項１〜請求項４のいずれかにおいて、
上記ワイヤレスインターホンは、ハンズフリー通話機能を備える構成としたワイヤレスインターホンシステム。
【請求項６】
請求項１〜請求項５のいずれかにおいて、
上記ワイヤレスインターホンにおける設定操作によって、上記ワイヤレスインターホンと上記ドアホン子器との間の強制送話／強制受話の設定をする構成としたワイヤレスインターホンシステム。
【請求項７】
請求項１〜請求項５のいずれかにおいて、
上記ワイヤレス中継器における設定操作によって、上記ワイヤレスインターホンと上記ドアホン子器との間の強制送話／強制受話の設定をする構成としたワイヤレスインターホンシステム。
【請求項８】
請求項１〜請求項６のいずれかにおいて、
上記ワイヤレスインターホンから、他のワイヤレスインターホンに対して内線呼出をし、呼出を受け付けたワイヤレスインターホンのうち、応答した１つのワイヤレスインターホンとの間でのみ、内線通話する構成としたワイヤレスインターホンシステム。
【請求項９】
請求項１〜請求項８のいずれかにおいて、
複数の通話チャンネルを備えており、所定の方式で空きチャンネルを選択して、その空きチャンネルを利用して、上記ドアホン子器と上記ワイヤレスインターホン、または、上記ワイヤレスインターホン間の通話路を形成することによって、複数の通話ペアが同時並行して通話できる構成としたワイヤレスインターホンシステム。
【請求項１０】
請求項１〜請求項９のいずれかにおいて、
上記ワイヤレス中継器は、所定操作によって、接続されるドアホン子器を定義し、上記ワイヤレスインターホンは、所定操作によって、対応するドアホン子器を設定するようになっており、
上記ワイヤレスインターホンは、設定したドアホン子器が定義されたワイヤレス中継器との間でのみワイヤレス信号の送受をする構成としたワイヤレスインターホンシステム。
【請求項１１】
請求項１〜請求項１０のいずれかにおいて、
上記ワイヤレス中継器は、上記ドアホン子器の種類によって通話音量を切り替える通話音量切換スイッチを備えており、この通話音量切換スイッチの操作によって、上記ドアホン子器及び上記ワイヤレスインターホンに対する音声信号の出力レベルを切り替える構成としたワイヤレスインターホンシステム。
【請求項１２】
請求項１〜請求項１１のいずれかにおいて、
上記ワイヤレスインターホンは、上記ドアホン子器をモニタリングするためのドアホンモニタ釦を備えており、このドアホンモニタ釦の操作によって、上記ワイヤレス中継器に対して上記ワイヤレス信号を出力して呼び出し、
これを受け付けたワイヤレス中継器は、ドアホン子器に入力された音声を上記ワイヤレスインターホンに対して出力して、上記ワイヤレスインターホンにおける上記ドアホン子器のモニタリングをさせる構成としたワイヤレスインターホンシステム。
【請求項１３】
請求項１〜請求項１２のいずれかにおいて、
上記ワイヤレスインターホンは、上記ドアホン子器と通話をするためのドアホン通話釦を備えており、このドアホン通話釦の操作によって、上記ワイヤレス中継器に対して上記ワイヤレス信号を出力して呼び出し、
これを受け付けたワイヤレス中継器は、上記ドアホン子器と上記ワイヤレスインターホンとの間の通話路を形成する構成としたワイヤレスインターホンシステム。
【請求項１４】
請求項１〜請求項１３のいずれかにおいて、
上記ワイヤレス中継器は、上記ドアホン子器の動作電源を供給する電源供給手段を備えており、上記信号線を通じた電源供給をする構成としたワイヤレスインターホンシステム。
【請求項１５】
請求項１〜請求項１４のいずれかにおいて、
上記ワイヤレス中継器は、上記信号線として、２線式信号線を接続するための端子を備える構成としたワイヤレスインターホンシステム。
【請求項１６】
請求項２において、
上記ワイヤレスインターホン親機は、上記ワイヤレスコール機器からワイヤレス信号を受信したときには、所定のコール呼出をするとともに、その出力レベルを増幅して、他のワイヤレスインターホンに対して出力することによって、所定のコール呼出をさせる構成としたワイヤレスコールインターホンシステム。
【請求項１７】
請求項１６において、
上記ワイヤレスインターホンのうち、上記ワイヤレスインターホン親機以外の少なくとも１台を、ワイヤレスインターホン副親機とする構成としたワイヤレスコールインターホンシステム。
【請求項１８】
請求項１６または請求項１７において、
上記ワイヤレスインターホン親機は、２つの監視周波数を順次切り替えることによって、上記ワイヤレス信号の存在を監視しており、
いずれか一方の監視周波数のワイヤレス信号が存在していれば、監視周波数を固定してそのワイヤレス信号を受信し、受信したワイヤレス信号よりデータフレームを取り込む構成としたワイヤレスコールインターホンシステム。
【請求項１９】
請求項１６〜請求項１８のいずれかにおいて、
上記ワイヤレスインターホン親機は、３つの監視周波数を順次切り替えることによって、上記ワイヤレス信号の存在を監視しており、
いずれかの監視周波数のワイヤレス信号が存在していれば、監視周波数を固定してそのワイヤレス信号を受信し、受信したワイヤレス信号よりデータフレームを取り込む構成としたワイヤレスコールインターホンシステム。
【請求項２０】
請求項１８または請求項１９において、
上記ワイヤレスインターホン親機は、自身以外の機器の登録設定状態によって、不要な監視周波数を判断し、その監視周波数に切り替わったときには、監視動作を中断する構成としたワイヤレスコールインターホンシステム。
【請求項２１】
請求項２、請求項１６〜請求項２０のいずれかにおいて、
上記ワイヤレスインターホン親機は、上記ワイヤレスコール機器からのワイヤレス信号の受け付けを、通話開始指示と判断する構成としたワイヤレスコールインターホンシステム。
【請求項２２】
請求項２、請求項１６〜請求項２１のいずれかにおいて、
上記ワイヤレスインターホン親機は、特定のワイヤレスコール機器からのワイヤレス信号を受け付けたときには、上記ワイヤレス中継器に対してワイヤレス信号を出力して、そのワイヤレス中継器に接続されたドアホン子器から所定の警報音を出力させる構成としたワイヤレスコールインターホンシステム。
【請求項２３】
請求項２、請求項１６〜請求項２２のいずれかにおいて、
上記ワイヤレスコール機器は、窓や扉の開閉によって、オン信号、オフ信号をワイヤレス信号として出力する接点入力送信器で構成されており、
上記ワイヤレスインターホン親機は、この接点入力送信器からのオン信号、オフ信号の入力に同期して、他のワイヤレスインターホンに対して、ワイヤレス信号を出力することによって呼び出す構成としたワイヤレスコールインターホンシステム。
【発明の詳細な説明】
【０００１】
【発明の属する技術分野】
【０００２】
本発明は、ドアホン子器、ワイヤレス中継器と、ワイヤレスインターホンを組み合わせて構成したワイヤレスインターホンシステムに関する。
【従来の技術】
【０００３】
従来のインターホンシステムは、図２２に示すように、ドアホン子器２００を２線式信号線Ｌで接続したインターホン親機３００に、複数のインターホン副親機４００を２線式信号線Ｌで接続した構成としている。
【０００４】
このシステムでは、ドアホン子器２００からの呼出に対して、インターホン副親機４００（＃１）で応答したときには、切り替えスイッチＳＷ１がオン、切り替えスイッチＳＷ２がオフ、切り替えスイッチＳＷ３がオン、切り替えスイッチＳＷ４がオフする。これによって、ドアホン子器２００とインターホン副親機４００（＃１）との間で、２線式信号線Ｌを通じて、良好なレベルの音声信号が送受でき、ドアホン子器２００とインターホン副親機４００（＃１）との間で、高品質な通話が可能となる。なお、図中、１１０は、ドアホン子器２００からの呼出検出、ドアホン子器２００への給電、切り替えスイッチＳＷ１〜ＳＷ４の切り替えなどをし、インターホン３００，４００とドアホン子器２００とを電気的に接続するためのドアホンインタフェースを示している。
【発明が解決しようとする課題】
【０００５】
ところで、上記した有線式のインターホンシステムでは、インターホン親機、インターホン副親機毎にドアホンインタフェースを備えているので、その製造コスト、部品点数の点で問題があった。
【０００６】
また、インターホン親機のドアホンインタフェースを共用化しようとすると、そのドアホンインタフェースの後段で、送話路と受話路の各々から、別に送話路、受話路を導出させる必要があるため、結果的に、インターホン間の配線は４線となり、その配線工事が複雑になる。
【０００７】
更に、高品質な通話を確保するためには、２線式信号線を送受される音声信号レベルを低下させないため、通話に参加しないインターホンは、２線式信号線と電気的に切り離されていなければならないので、各インターホン毎に切り替えスイッチが必要となり、その部品点数の点で問題があった。
【０００８】
また、最近では、ドアホン子器とインターホンとの間で、ダイレクトにワイヤレス信号の送受をすることによって、ドアホン子器とインターホンとの間で、ワイヤレスに通話するようにしたワイヤレスインターホンシステムも使用されているが、このものでは、有線式ではないため、通話品質の確保のため、先述したような、通話に参加していないインターホンでの機械的動作が必要となることはないが、各インターホンにドアホンインタフェースを備える必要があり、いずれかのドアホンインタフェースの共用化はできなかった。
【０００９】
更に、ドアホン子器が屋外に設置される一方、インターホンが屋内に設置されているので、ドアホン子器とインターホン間で送受されるワイヤレス信号が、建物の壁によって遮られることがあり、通信品質が良好に保てない場合がある。更に、ドアホン子器がワイヤレス信号の送受をする無線回路を搭載しているため、激しい気温変化や環境変化に晒されることになり、インターホンとの通話品質が良好に保てないこともあった。
【００１０】
本発明は、上記事情を考慮してなされたものであり、全てのインターホンでドアホンインタフェースを共用化でき、また、インターホン間の配線工事の必要がなく、更に、通話に参加していないインターホンでの機械的動作をすることなく、高品質な通話が確保できるワイヤレスインターホンシステム、及び、このワイヤレスインターホンを用いて構成したワイヤレスコールインターホンシステムを提供することを目的としている。
【課題を解決するための手段】
【００１１】
上記目的を達成するために、本発明の請求項１に記載のワイヤレスインターホンシステムでは、ドアホン子器を信号線で接続した複数のワイヤレス中継器と、複数のワイヤレスインターホンとで構成されるワイヤレスインターホンシステムであって、ワイヤレスインターホンのいずれかは、いずれかのワイヤレス中継器との間で、所定のワイヤレス信号の送受をすることによって、いずれかのワイヤレス中継器に接続されるドアホン子器との通話をする構成としており、ワイヤレス信号は、同じ制御コマンドを規定した複数のデータフレームを含んでおり、ワイヤレス中継器及び上記ワイヤレスインターホンは、複数のデータフレームのうち、何番目のデータフレームを受信するかによって、そのデータフレームで規定される制御コマンドを実行するタイミングを決定する構成とした。
【００１２】
請求項２に記載のワイヤレスインターホンシステムでは、ドアホン子器を信号線で接続した複数のワイヤレス中継器と、複数のワイヤレスインターホンとで構成されるワイヤレスインターホンシステムであって、ワイヤレスインターホンのいずれかは、いずれかのワイヤレス中継器との間で、所定のワイヤレス信号の送受をすることによって、いずれかのワイヤレス中継器に接続されるドアホン子器との通話をする構成としており、手動操作によってワイヤレス信号を出力するワイヤレスコール機器を組み合わせて構成しており、ワイヤレスインターホンのうち、いずれか１台をワイヤレスインターホン親機とし、その親機のみに、自身以外の全ての機器を登録設定する構成とした。
【００１３】
請求項３に記載のワイヤレスインターホンシステムでは、ワイヤレスインターホン間で、所定のワイヤレス信号の送受をすることによって、ワイヤレスインターホン間の内線通話をする構成とした。
【００１４】
請求項４に記載のワイヤレスインターホンシステムでは、ワイヤレス中継器とワイヤレスインターホンとの間で、所定のワイヤレス信号の送受をすることによって、ワイヤレスインターホンでドアホン子器のモニタリングをする構成とした。
【００１５】
請求項５に記載のワイヤレスインターホンシステムでは、ワイヤレスインターホンは、ハンズフリー通話機能を備える構成とした。
【００１６】
請求項６に記載のワイヤレスインターホンシステムでは、ワイヤレスインターホンにおける設定操作によって、ワイヤレスインターホンとドアホン子器との間の強制送話／強制受話の設定をする構成とした。
【００１７】
請求項７に記載のワイヤレスインターホンシステムでは、ワイヤレス中継器における設定操作によって、ワイヤレスインターホンとドアホン子器との間の強制送話／強制受話の設定をする構成とした。
【００１８】
請求項８に記載のワイヤレスインターホンシステムでは、ワイヤレスインターホンから、他のワイヤレスインターホンに対して内線呼出をし、呼出を受け付けたワイヤレスインターホンのうち、応答した１つのワイヤレスインターホンとの間でのみ、内線通話する構成とした。
【００１９】
請求項９に記載のワイヤレスインターホンシステムでは、複数の通話チャンネルを備えており、所定の方式で空きチャンネルを選択して、その空きチャンネルを利用して、ドアホン子器とワイヤレスインターホン、または、ワイヤレスインターホン間の通話路を形成することによって、複数の通話ペアが同時並行して通話できる構成とした。
【００２０】
請求項１０に記載のワイヤレスインターホンシステムでは、ワイヤレス中継器は、所定操作によって、接続されるドアホン子器を定義し、ワイヤレスインターホンは、所定操作によって、対応するドアホン子器を設定するようになっており、ワイヤレスインターホンは、設定したドアホン子器が定義されたワイヤレス中継器との間でのみワイヤレス信号の送受をする構成とした。
【００２１】
請求項１１に記載のワイヤレスインターホンシステムでは、ワイヤレス中継器は、ドアホン子器の種類によって通話音量を切り替える通話音量切換スイッチを備えており、この通話音量切換スイッチの操作によって、ドアホン子器及びワイヤレスインターホンに対する音声信号の出力レベルを切り替える構成とした。
【００２２】
請求項１２に記載のワイヤレスインターホンシステムでは、ワイヤレスインターホンは、ドアホン子器をモニタリングするためのドアホンモニタ釦を備えており、このドアホンモニタ釦の操作によって、ワイヤレス中継器に対してワイヤレス信号を出力して呼び出し、これを受け付けたワイヤレス中継器は、ドアホン子器に入力された音声をワイヤレスインターホンに対して出力して、ワイヤレスインターホンにおけるドアホン子器のモニタリングをさせる構成とした。
【００２３】
請求項１３に記載のワイヤレスインターホンシステムでは、ワイヤレスインターホンは、ドアホン子器と通話をするためのドアホン通話釦を備えており、このドアホン通話釦の操作によって、ワイヤレス中継器に対してワイヤレス信号を出力して呼び出し、これを受け付けたワイヤレス中継器は、ドアホン子器とワイヤレスインターホンとの間の通話路を形成する構成とした。
【００２４】
請求項１４に記載のワイヤレスインターホンシステムでは、ワイヤレス中継器は、ドアホン子器の動作電源を供給する電源供給手段を備えており、信号線を通じた電源供給をする構成とした。
【００２５】
請求項１５に記載のワイヤレスインターホンシステムでは、ワイヤレス中継器は、信号線として、２線式信号線を接続するための端子を備える構成とした。
【００２６】
請求項１６に記載のワイヤレスコールインターホンシステムでは、ワイヤレスインターホン親機は、ワイヤレスコール機器からワイヤレス信号を受信したときには、所定のコール呼出をするとともに、その出力レベルを増幅して、他のワイヤレスインターホンに対して出力することによって、所定のコール呼出をさせる構成とした。
【００２７】
請求項１７に記載のワイヤレスコールインターホンシステムでは、ワイヤレスインターホンのうち、ワイヤレスインターホン親機以外の少なくとも１台を、ワイヤレスインターホン副親機とする構成とした。
【００２８】
請求項１８に記載のワイヤレスコールインターホンシステムでは、ワイヤレスインターホン親機は、２つの監視周波数を順次切り替えることによって、ワイヤレス信号の存在を監視しており、いずれか一方の監視周波数のワイヤレス信号が存在していれば、監視周波数を固定してそのワイヤレス信号を受信し、受信したワイヤレス信号よりデータフレームを取り込む構成とした。
【００２９】
請求項１９に記載のワイヤレスコールインターホンシステムでは、ワイヤレスインターホン親機は、３つの監視周波数を順次切り替えることによって、ワイヤレス信号の存在を監視しており、いずれかの監視周波数のワイヤレス信号が存在していれば、監視周波数を固定してそのワイヤレス信号を受信し、受信したワイヤレス信号よりデータフレームを取り込む構成とした。
【００３０】
請求項２０に記載のワイヤレスコールインターホンシステムでは、ワイヤレスインターホン親機は、自身以外の機器の登録設定状態によって、不要な監視周波数を判断し、その監視周波数に切り替わったときには、監視動作を中断する構成とした。
【００３１】
請求項２１に記載のワイヤレスコールインターホンシステムでは、ワイヤレスインターホン親機は、ワイヤレスコール機器からのワイヤレス信号の受け付けを、通話開始指示と判断する構成とした。
【００３２】
請求項２２に記載のワイヤレスコールインターホンシステムでは、ワイヤレスインターホン親機は、特定のワイヤレスコール機器からのワイヤレス信号を受け付けたときには、ワイヤレス中継器に対してワイヤレス信号を出力して、そのワイヤレス中継器に接続されたドアホン子器から所定の警報音を出力させる構成とした。
【００３３】
請求項２３に記載のワイヤレスコールインターホンシステムでは、ワイヤレスコール機器は、窓や扉の開閉によって、オン信号、オフ信号をワイヤレス信号として出力する接点入力送信器で構成されており、ワイヤレスインターホン親機は、この接点入力送信器からのオン信号、オフ信号の入力に同期して、他のワイヤレスインターホンに対して、ワイヤレス信号を出力することによって呼び出す構成とした。
【発明の実施の形態】
【００３４】
以下に、本発明の実施の形態について、図面とともに説明する。図１は、本発明のワイヤレスインターホンシステムの要部構成の一例を示す図である。
【００３５】
このシステムでは、２線式信号線Ｌでドアホン子器２を接続したワイヤレス中継器１、ワイヤレスインターホン親機３、ワイヤレスインターホン副親機４を組み合わせて構成し、ワイヤレス中継器１とワイヤレスインターホン３，４との間で、ワイヤレス信号の送受をすることによって、ワイヤレス中継器１とワイヤレスインターホン３，４との間の通話をさせる構成としている。
【００３６】
ワイヤレス中継器１は、ドアホン子器２からの呼出検知、ドアホン子器２に対する給電、ドアホン子器２とワイヤレスインターホン３，４間の通話路の形成をし、ワイヤレス中継器１をドアホン子器２に電気的に接続するためのドアホンインタフェース１０と、ワイヤレスインターホン３，４との間で、ワイヤレス信号の送受をするための無線回路１１とを備える。
【００３７】
ワイヤレスインターホン３，４は、ドアホン子器２や他のワイヤレスインターホン３，４との間で、ワイヤレス信号の送受をするための無線回路３５と、ドアホン子器２や他のワイヤレスインターホン３，４との間で、スピーカ３２、マイク３３を用いたハンズフリー通話を可能にする通話回路３１とを備える。
【００３８】
通話回路３１には、ハンズフリーＩＣを設けており、通話相手との間でハンズフリー通話をすることが可能となっている。
【００３９】
このような構成にすることによって、ドアホン子器２とワイヤレス中継器１とを施工しておけば、ワイヤレスインターホン３をユーザが任意の場所に設置または移動させて、どこででもハンズフリー通話をすることができ、利便性が高い。
【００４０】
また、ワイヤレス中継器１を屋内に設けておけば、ワイヤレスインターホン３，４との間でのワイヤレス信号の送受を屋内ですることができ、電波状態が良好に保て、ドアホン子器２とワイヤレスインターホン３，４とのハンズフリー通話が快適にできる。
【００４１】
通話回路３１のハンズフリーＩＣは、スピーカ３２に対する音声信号と、マイク３３からの音声信号とを比較し、そのレベルの高い方のみを流すため、スピーカ３２側、マイク３３側それぞれのアンプを相互にオンオフするものであるが、ワイヤレスインターホン３，４での所定操作、例えば、後述するドアホン応答釦３４などの所定時間以上の押し操作によって、ハンズフリーＩＣに対して、強制送話や強制受話の指示ができるようにしておけば、屋外または屋内で騒音が生じ、ハンズフリーＩＣの比較処理に影響がでて通話が困難となった場合でも、簡単な操作をするだけで、強制送話や強制受話をすることができる。
【００４２】
なお、このハンズフリーＩＣは、ワイヤレスインターホン３，４側ではなく、ワイヤレス中継器１側に設けてもよい。こうすれば、ワイヤレスインターホン３，４が、ワイヤレス中継器１のハンズフリーＩＣを共用化できる。
【００４３】
図２は、本発明のワイヤレスコールインターホンシステムの要部構成の一例を示す図である。このものは、２台のドアホン子器２（＃１，＃２）のそれぞれを、２線式信号線Ｌで接続したワイヤレス中継器１（＃１，＃２）と、ワイヤレスインターホン３，４とを組み合わせて構成したワイヤレスインターホンシステムに、押釦、スイッチ、引き紐などの操作といった手動操作によって、ワイヤレス呼出信号を出力するワイヤレスコール機器６を組み合わせて構成している。なお、５はワイヤレスインターホン子機を示しており、その機能については後述する。
【００４４】
このような構成にすることによって、互いに離れた２箇所での必要に応じて、コール呼出と無線通話とを使い分けることができる。
【００４５】
ここで、図１、２において、ワイヤレス中継器１は、その２線式信号線接続端子Ｔに、ドアホン子器２から導出した２線式信号線Ｌを接続する構成としており、この構成によって、既設の有線式のインターホンシステムで使用されている２線式信号線が流用でき、ワイヤレスインターホンやワイヤレスコールインターホンシステムを用意に施工できるという利点がある。なお、本発明ではこれに限られず、例えば、ワイヤレス中継器１とドアホン子器２とを同軸線で接続してもよい。
【００４６】
図３は、ワイヤレスインターホン３，４がドアホン子器２からの呼出に対して応答した際の通話路形成動作について説明するための図である。ワイヤレス信号の送受信チャンネルとしては、通話チャンネル（１〜１８ＣＨ）と制御チャンネル（１９ＣＨ）との計１９ＣＨが用意されており、ドアホン子器２の呼出操作をすれば、ワイヤレス中継器１がこれを検知して、制御チャンネルのキャリアセンスのあと、制御チャンネルを通じてドアホン呼出信号を出力する。
【００４７】
すると、このドアホン呼出信号をワイヤレスインターホン３，４が受け付け、ドアホン呼出音を出力し、応答操作があれば、応答操作されたワイヤレスインターホン３，４が、ＭＣＡ（マルチチャンネルアクセス）方式で、１８ＣＨある通話チャンネルから空きチャンネルを選択し（例えば５ＣＨ）、制御チャンネルのキャリアセンスのあと、制御チャンネルを通じてドアホン呼出受付信号を出力する。なお、通話チャンネルの空きチャンネルが確保できなかったときには、ワイヤレス中継器１、ワイヤレスインターホン３，４は、通話チャンネル不確保報知をする。
【００４８】
ドアホン呼出受付信号は、選択された空きチャンネルの情報とともに出力され、これを受け付けたワイヤレス中継器１は、制御チャンネルのキャリアセンスのあと、制御チャンネルを通じて直接通話開始信号を出力し、これをワイヤレスインターホン３，４が受け付ける。
【００４９】
そして、ワイヤレス中継器１は、選択された通話チャンネル（５ＣＨ）のキャリアセンスのあと、その通話チャンネルを通じて確認応答信号を出力し、これをワイヤレスインターホン３，４が受け付ければ通話が開始され、通話時の音声信号が、通話チャンネル（５ＣＨ）を通じて、ワイヤレス中継器１とワイヤレスインターホン３，４との間で送受される。
【００５０】
そして、ワイヤレスインターホン３，４で通話終了操作があったり、所定時間が経過してタイムアップすると、ワイヤレスインターホン３，４は、使用している通話チャンネル（５ＣＨ）を通じて直接通話終了信号を出力し、これをワイヤレス中継器１が受け付ければ通話が終了する。
【００５１】
ワイヤレス中継器１は、内部の設定スイッチの操作によって、接続されるドアホン子器２を定義し、ワイヤレスインターホン３，４は、内部の設定スイッチの操作によって、対応するドアホン子器２を設定できるようになっている。
【００５２】
すなわち、ワイヤレス中継器１では、接続されたドアホン子器２を「ドアホン子器１」、「ドアホン子器２」のいずれかに定義し、ワイヤレスインターホン１，２では、対応するドアホン子器２を「ドアホン子器１対応」、「ドアホン子器２対応」、「ドアホン子器１，２対応」、「未対応」というように設定できる。
【００５３】
例えば、図２とともに説明すれば、ワイヤレス中継器１（＃１）で「ドアホン子器１」と定義され、ワイヤレス中継器１（＃２）で「ドアホン子器２」と定義されている場合、ワイヤレスインターホン３，４では、対応するドアホン子器２の設定によって、次のように動作をする。
【００５４】
１．「ドアホン子器１対応」の場合：通話開始操作をする毎に、「待機」→「ドアホン子器２（＃１）との通話」→「待機」と動作する。
【００５５】
２．「ドアホン子器２対応」の場合：通話開始操作をする毎に、「待機」→「ドアホン子器２（＃２）との通話」→「待機」と動作する。
【００５６】
３．「ドアホン子器１，２対応」の場合：通話開始操作をする毎に、「待機」→「ドアホン子器２（＃１）との通話」→「ドアホン子器２（＃２）との通話」→「待機」と動作する。
【００５７】
４．「未対応」の場合：通話開始操作をしても、ドアホン子器２（＃１）、ドアホン子器２（＃２）のいずれとも通話できない。
【００５８】
なお、この場合の通話においても、先述したＭＣＡ方式によって空いている通話チャンネルを選択し、その通話チャンネルを用いた通話をする。
【００５９】
このように、ワイヤレス中継器１は、接続されるドアホン子器２を定義し、ワイヤレスインターホン３，４は、対応するドアホン子器２を設定できる構成としているため、システム内においてドアホン子器２を複数台設けることができ、例えば、玄関口と勝手口の２箇所でドアホン子器２を使用したい場合や、２世帯住宅などでドアホン子器２を使用したいといったニーズにも、１つのシステムで対応することができる。また、ワイヤレスインターホン３，４での通話開始操作によって、対応するドアホン子器２と通話することができるので、ドアホン子器２からの呼出を受けての通話がタイムアップした場合に通話再開をしたり、ドアホン子器２の周辺にいる子供などに対して、音声で呼びかけをすることができる。  また、ワイヤレスインターホン３，４間で、ワイヤレス信号の送受をすることによって、内線通話することもできる。例えば、ワイヤレスインターホン親機３で内線呼出をすれば、ワイヤレスインターホン副親機４を内線呼出し、いずれか１台の副親機４（例えば副親機４（＃１））が応答したときには、応答した１台の副親機４（＃１）が、先述したＭＣＡ方式で、空きチャンネルを選択し（例えば１０ＣＨ）、その空きチャンネルを通じた１：１の通話を可能とする。なお、内線呼出をしてから一定時間の間は、発呼側から被呼側に対して、ショートメッセージを音声信号として出力することによって、被呼側の近隣にいる人に対して呼びかけをすることができる。１：１の通話をしているときには、通話内容は他のワイヤレスインターホン３，４には漏れない。
【００６０】
このように、ドアホン通話、内線通話いずれの場合でも、空いている通話チャンネルを選択するので、制御チャンネルさえ使用中でなければ、通話チャンネルの個数だけ、通話ペアを作ることができ、通話路が１つしかない、従来の有線式のシステムでは成しえなかった複数ペアの同時並行通話が可能となる。通話に参加していないワイヤレスインターホン３，４については、先述したようなドアホン子器２との通話をしたり、後述するようなコール呼出を受けることが可能である。
【００６１】
更に、ワイヤレスインターホン３，４とワイヤレス中継器１との間で、ワイヤレス信号の送受をすることによって、ワイヤレスインターホン３，４からドアホン子器２のモニタリング、すなわち、ワイヤレスインターホン３，４で、ドアホン子器２の周囲の音を確認をすることができる。なお、モニタリングをしているときは、ワイヤレスインターホン３，４側の音は、ドアホン子器２側には出力しない。
【００６２】
例えば、先述したように、ワイヤレス中継器１（＃１）で「ドアホン子器１」と定義され、ワイヤレス中継器１（＃２）で「ドアホン子器２」と定義されている場合、ワイヤレスインターホン３，４では、対応するドアホン子２の設定によって、次のように動作をする。
【００６３】
１．「ドアホン子器１対応」の場合：モニタ開始操作をする毎に、「待機」→「ドアホン子器２（＃１）のモニタリング」→「待機」と動作する。
【００６４】
２．「ドアホン子器２対応」の場合：モニタ開始操作をする毎に、「待機」→「ドアホン子器２（＃２）のモニタリング」→「待機」と動作する。
【００６５】
３．「ドアホン子器１，２対応」の場合：モニタ開始操作をする毎に、「待機」→「ドアホン子器２（＃１）のモニタリング」→「ドアホン子器２（＃２）のモニタリング」→「待機」と動作する。
【００６６】
４．「未対応」の場合：モニタ開始操作をしても、ドアホン子器２（＃１）、ドアホン子器２（＃２）のいずれもモニタリングできない。
【００６７】
図４は、先述したワイヤレス信号の構成を示している。この信号は、同じ制御コマンドを規定した複数のデータフレームを含んでいる。
【００６８】
これは、ワイヤレス中継器１、ワイヤレスインターホン３，４が、ワイヤレス信号を間欠受信しており、更に、データ伝送の信頼性を向上させるためであるが、ワイヤレス信号を複数台の機器が受信し、その制御コマンドに基づく動作、例えば、ワイヤレス呼出信号を受信し、呼出音を出力する場合、「データフレーム１」を受信して動作をする機器と、「データフレーム５」を受信して動作をする機器とでは、最大４フレーム分の時間分、時間差が発生する（図示するように１フレームあたり６０ｍｓとすると最大２４０ｍｓの時間差が発生する）。
【００６９】
これを防止するために、ワイヤレス中継器１、ワイヤレスインターホン３，４では、図５に示すように、受信フレームに対応して、動作処理待ち時間を設定している。これにより、ワイヤレスインターホン３，４は、受信フレームに応じて、そのフレームで規定された制御コマンドの実行を動作処理待ち時間分遅らせることができ、システムの全ての機器が同じタイミングで、制御コマンドを実行することができ、ドアホン子器２からの呼出に対して、全てのワイヤレスインターホン３，４で同じタイミングで呼出音を出力するなどの動作が可能となる。
【００７０】
ワイヤレスインターホンシステムは、後述する動作を可能とするため、その内部構成は、図６に示すようになっている。なお、ここでは、ワイヤレスインターホンを代表して、ワイヤレスインターホン親機３の内部構成を示しているが、ワイヤレスインターホン副親機４を適用した場合も、その内部構成、動作は親機３と同様である。
【００７１】
ワイヤレス中継器１は、ドアホンインタフェース回路１０と、無線回路１１（いずれも先述）と、電源１２とを備える。このワイヤレス中継器１は、従来のドアホン子器が備えていた、無線通信機能、電源機能を備え、更に、従来のワイヤレスインターホンが備えていた、ドアホン子器からの呼出検知機能、ドアホン子器との通話路形成機能を備えている。なお、ドアホンインタフェース１０は、本発明の電源供給手段を構成しており、２線式信号線Ｌを通じて、ドアホン子器２の動作電源を供給する。これにより、ドアホン子器２には電池を搭載する必要がなく、ドアホン子器２の小型化、軽量化などが可能になる。
【００７２】
ドアホン子器２は、来訪者が住人を呼び出すために操作し、応答した住人と通話する機能があり、音声信号の送受をすることによって、スピーカ２１とマイク２２とを用いた通話を可能にする通話回路２０と、呼出釦２３とを備える。
【００７３】
ワイヤレスインターホン３は、通話相手とワイヤレス信号の送受をして、ハンズフリー通話をする機能があり、このワイヤレスインターホン３を制御する制御回路３０と、先述した通話回路３１と、ドアホン子器２からの呼出に対して応答操作をするためのドアホン応答釦３４と、先述した無線回路３５と、電源３６と、充電池３８を充電するための充電回路３７とを備える。
【００７４】
このような構成の動作について、図７のタイムチャートとともに説明する。例えば、ドアホン子器２の呼出釦２３が操作されたときには、これをワイヤレス中継器１が検知してドアホン子器２に給電を開始する。
【００７５】
このとき、ワイヤレス中継器１からは、ワイヤレス呼出信号が出力され、これをワイヤレスインターホン３が受け付け、所定の呼出音を出力する。これに対して、ワイヤレスインターホン３で応答操作があれば、ワイヤレス中継器１がこれを受け付け、ワイヤレスインターホン３とドアホン子器２との間の通話路を形成して、これらの間での通話を可能とする。
【００７６】
そして、ワイヤレスインターホン３で、ドアホン応答釦３４を再度操作するなどの通話終了操作があれば、ワイヤレス中継器１がこれを受け付け、ワイヤレスインターホン３とドアホン子器２との通話路を切断する。なお、ワイヤレスインターホン３での通話終了操作がなくても、通話開始から一定時間が経過すれば、自動的に通話路が遮断される。
【００７７】
図８は、ワイヤレスインターホンシステムの内部構成の第２例を示す図である。このものでは、ワイヤレス中継器１に代わってワイヤレス中継器１Ａを備えている。ワイヤレス中継器１Ａでは、接続するドアホン子器２の種類によって通話音量を切り替えるための通話音量切換ＳＷ１３を付加しており、この通話音量切換ＳＷ１３を操作することによって、ドアホン子器２及びワイヤレスインターホン３に対する音声信号の出力レベルを切り替える。
【００７８】
このように、通話音量切換ＳＷ１３の操作によって、ワイヤレス中継器１Ａが、ドアホン子器２及びワイヤレスインターホン３に対する音声信号の出力レベルを切り替えるので、ワイヤレス中継器１Ａにどの種類のドアホン子器２が接続されても、最適な通話音量にてドアホン通話をすることができる。なお、ドアホン子器２に対する音声信号の出力レベルと、ワイヤレスインターホン３に対する音声信号の出力レベルは、通話音量切換ＳＷ１３の操作によって、互いに連動して切り替わってもよいし、各々独立して切り替わってもよい。
【００７９】
図９は、ワイヤレスインターホンシステムの要部構成の第３例を示す図である。このものでは、ワイヤレスインターホン３に代わってワイヤレスインターホン３Ａを備えており、ワイヤレスインターホン３Ａでは、ドアホン子器２をモニタリングするためのドアホンモニタ釦３９を付加している。
【００８０】
このような構成の動作について、図１０のタイムチャートとともに説明する。すなわち、ワイヤレスインターホン３は、ドアホンモニタ釦３９の操作によって、ワイヤレス中継器１に対してワイヤレス信号を出力して呼び出し、これを受け付けたワイヤレス中継器１は、ドアホン子器２に対して給電を開始して動作させ、そのドアホン子器２に入力された音声をワイヤレスインターホン３に対して出力させて、モニタリングを可能とする。
【００８１】
このように、ドアホンモニタ釦３９の操作によって、ワイヤレス中継器１が、ドアホン子器２に入力された音声をワイヤレスインターホン３Ａに出力して、モニタリングをさせるので、ドアホンモニタ釦３９の操作をすれば、ワイヤレスインターホン３Ａから、ドアホン子器２を通じて屋外の様子が確認でき、防犯効果を向上させることができる。なお、ドアホンモニタ釦３９を新規に設けずに、既存の釦の所定操作（例えば長時間押し）によって、モニタリングを可能にするようにしてもよい。
【００８２】
そして、ワイヤレスインターホン３で、ドアホンモニタ釦３９を再度操作するなどのモニタリング終了操作があれば、ワイヤレス中継器１がこれを受け付け、ワイヤレスインターホン３からのドアホン子器２のモニタリングを終了する。なお、ワイヤレスインターホン３でのモニタリング終了操作がなくても、モニタリング開始から一定時間が経過すれば、自動的にモニタリングが終了される。
【００８３】
図１１は、ワイヤレスインターホンシステムの要部構成の第４例を示す図である。このものでは、ワイヤレスインターホン３に代わってワイヤレスインターホン３Ｂを備えており、ワイヤレスインターホン３Ｂでは、ドアホン子器２との通話をするためのドアホン通話釦４０を付加している。
【００８４】
このような構成の動作について、図１２のタイムチャートとともに説明する。すなわち、ワイヤレスインターホン３Ｂは、ドアホン通話釦４０の操作によって、ワイヤレス中継器１に対してワイヤレス信号を出力して呼び出し、これを受け付けたワイヤレス中継器１はドアホン子器２に給電を開始し、ワイヤレスインターホン３とドアホン子器２との間の通話路を形成して、これらの間での通話を可能とする。
【００８５】
このように、ドアホン通話釦４０の操作によって、ワイヤレス中継器１は、ドアホン子器２とワイヤレスインターホン３Ｂとの間の通話路を形成するので、来客中にドアホン通話がタイムアップしたときの通話再開をしたり、玄関先など、ドアホン子器２の設置場所の近辺にいる人（子供など）に対して、呼びかけをしたい場合には、ドアホン通話釦４０を操作するだけで、ドアホン子器４０と通話状態にできる。なお、ドアホン通話釦４０を新規に設けずに、既存の釦の所定操作（例えば長時間押し）によって、ドアホン通話を可能にするようにしてもよい。
【００８６】
ここで、ワイヤレスインターホン３は、ドアホン子器２が２台ある場合に備えて、いずれか、あるいは両方のドアホン子器２に対して呼び出し、通話することができるようにしている。両方のドアホン子器２を呼び出して通話する動作は、１台目のドアホン子器２を呼び出して通話が終了した後、２台目のドアホン子器２を呼び出して通話するという動作をする。なお、いずれかのドアホン子器２との通話のタイムアップ後、所定時間の間は、通話をしていたドアホン子器２の呼出を可能にしている。
【００８７】
そして、ワイヤレスインターホン３で、ドアホン通話釦４０を再度操作するなどの通話終了操作があれば、ワイヤレス中継器１がこれを受け付け、ワイヤレスインターホン３とドアホン子器２との通話路を切断する。なお、ワイヤレスインターホン３での通話終了操作がなくても、通話開始から一定時間が経過すれば、自動的に通話路が遮断される。
【００８８】
次に、図２に示すワイヤレスコールインターホンシステムについて、以下に説明する。ワイヤレスインターホン親機３、ワイヤレスインターホン副親機４、ワイヤレスインターホン子機５は、それぞれ、親機、副親機、子機としての機能を実行するのに適した無線モジュールを搭載している。
【００８９】
すなわち、親機３は、親機としての機能を実行するため親型モジュールを搭載しており、ワイヤレス中継器１、副親機４、子機５との間でワイヤレス信号の送受ができる。
【００９０】
また、副親機４は、副親機としての機能を実行するため、親型モジュールと子型モジュールの双方を搭載しており、ワイヤレス中継器１、親機３、他の副親機４、子機５との間でワイヤレス信号の送受ができる。
【００９１】
更に、子機５は、子器としての機能を実行するため、子型モジュールを搭載しており、親機３との間でのみワイヤレス信号の送受ができる。
【００９２】
これについて、図示したものが図１３であり、機器間の通信可否状態を表にしている。この表を参照しても理解できるように、親機３、副親機４では、２台のワイヤレス中継器１と通信ができ、先述したように、ドアホン子器２からの呼出に対する通話、ドアホン子器２を呼び出しての通話、ドアホン子器２のモニタリングができる。
【００９３】
親機３は、副親機４と通信ができ、副親機４は、親機３や他の副親機４と通信ができる。これにより、親機３は副親機４を呼び出した内線通話ができ、副親機４は、親機３や他の副親機４を呼び出した内線通話ができる。子機５は、親機３のみと通信ができ、親機３を呼び出した内線通話ができる。
【００９４】
特に、副親機４は、親機３や他の副親機４と通信できるため、副親機４では、親機３や副親機４の中から、フレキシブルに通信相手を設定することができ、利便である。また、従来では、親機３と子機５の１：１、又は、１：Ｎのシステムしか構築することができなかったが、この副親機４を使用することによって、どのペアでも通信可能な３台以上のシステムが構築できる。
【００９５】
ここで、親機３から出力されるワイヤレス信号の周波数は４４０ＭＨｚ、副親機４から出力されるワイヤレス信号の周波数は４４０ＭＨｚ、子機５から出力されるワイヤレス信号の周波数は４２１ＭＨｚ、ワイヤレスコール機器Ｃから出力されるワイヤレス信号の周波数は４２６ＭＨｚとしている。
【００９６】
ワイヤレス中継器１、ワイヤレスインターホン親機３、ワイヤレスインターホン副親機４、ワイヤレスインターホン子機５、ワイヤレスコール機器６の各々は、予め固有のＩＤ番号が登録されており、ワイヤレスインターホン親機３では、自身のＩＤ番号以外に、システムに存在する他の機器、すなわち、ワイヤレス中継器１、ワイヤレスインターホン副親機４、ワイヤレスインターホン子機５、ワイヤレスコール機器６のＩＤ番号を登録するようにしている。
【００９７】
これについて、図１４，１５とともに説明する。親機３では、図１４に示すように、自身のＩＤ番号の他、被登録機器となる機器のＩＤ番号を登録可能としており、図１５に示すように、親機３の登録釦を操作するなどの所定操作によって、親機３のモードを通常使用モードから登録モードに移行させる。その後、被登録機器の登録送信釦を操作するなどの所定操作によって、被登録機器のＩＤ番号を含む登録信号を親機３に出力してそのＩＤ番号を登録させる。
【００９８】
そして、親機３からは、自身のＩＤ番号をシステムＩＤとして登録信号に含ませて被登録機器に返信し、図１４に示すように、被登録機器にそのシステムＩＤを登録させ、親機３が、被登録機器から登録完了信号を受信すれば、登録処理が終了し、元の通常使用モードに戻る。なお、親機３では、登録モードに移行してから所定時間が経過すれば、自動的に通常使用モードに戻る。
【００９９】
このように、親機３のみに、自身以外の全ての機器を登録設定するようにしているので、１システムを構築する際に、被登録機器１台の登録に、１システムを構成する台数分の登録作業をする必要がなく、被登録機器１台の登録が、親機３に対する１回の登録作業だけですみ、利便である。
【０１００】
機器から他の機器に対してワイヤレス信号を出力するときには、自身のＩＤコードの他に、先述した登録処理にて登録されたシステムＩＤを含ませるようにしており、これを受信した機器では、システムＩＤが自身のシステムＩＤと一致するかどうかを判断し、一致しているときに、同一システムからの指示と判断して、受信したワイヤレス信号を受け付ける。
【０１０１】
ワイヤレスインターホン親機３は、２つの監視周波数を順次切り替えることによって、ワイヤレス信号の存在を監視しており、いずれか一方の監視周波数のワイヤレス信号が存在していれば、監視周波数を固定してそのワイヤレス信号を受信し、受信したワイヤレス信号よりデータフレームを取り込む。
【０１０２】
ワイヤレスインターホン親機３は、図１６に示すように、キャリア有無確認モードを実行して、例えば、５０ｍｓ毎に、監視周波数１、監視周波数２を順次切り替えて、これら２つの監視周波数のワイヤレス信号の存在を監視している。
【０１０３】
そして、ある監視周波数、例えば、監視周波数１のワイヤレス信号が存在すれば、送信データ有無確認モードに移行し、監視周波数１の監視を５０ｍｓ延長して、存在するワイヤレス信号にデータフレームが含まれているかどうかを確認する。
【０１０４】
このとき、データフレームが含まれていなければ、元のキャリア有無確認モードに戻るが、含まれていれば、送信データ取り込みモードに移行して、送信データ取り込み時間を設けて、その時間内にデータフレームを取り込む。なお、送信データ取り込み時間は、最低でもデータフレームの送信時間の２倍は必要である。
【０１０５】
このようにすれば、先述したように、ワイヤレスコール機器６からは４２６ＭＨｚのワイヤレス信号が出力され、副親機４からは４４０ＭＨｚのワイヤレス信号が出力されるので、これら２つの周波数の信号を順次監視し、存在するワイヤレス信号の周波数の違いにより、ワイヤレスコール機器６からのものか、副親機４からのものかを判断することができる。また、２つの受信回路を動作させる必要がなく、１つの受信回路の動作で、２周波数分のワイヤレス信号の監視、受信が可能となり、消費電力を半減できる。
【０１０６】
ワイヤレスコール機器６は、押釦、スイッチ、引き紐などの操作といった手動操作がなされると、図１７に示すように、ワイヤレス呼出信号を１ｍＷで出力する。すると、ワイヤレスインターホン親機３は、先述した処理によって、ワイヤレスコール機器６からのワイヤレス呼出信号を受け付け、その信号から送信データを取り込み、取り込んだ送信データに基づいて、所定のコール呼出をするとともに、図１７に示すように、副親機４や子機５に対して、受信したワイヤレス呼出信号を１０ｍＷで転送する。これを受け付けた副親機４，子機５は、所定のコール呼出をする。
【０１０７】
このように、親機３は、ワイヤレスコール機器６からワイヤレス信号を受信したときには、そのレベルを増幅して副親機４，子機５に転送するので、遠くに離れた副親機４，子機５にも信号を転送でき、システムの信頼性が向上する。
【０１０８】
ここで、ワイヤレスインターホン親機３は、受信したワイヤレス信号の周波数を変換して、ワイヤレスインターホン副親機４に転送してもよい。こうすれば、法規上、使用可能周波数の異なるコール呼出システムと無線通話システムの双方に対応することができる。
【０１０９】
なお、ワイヤレスコール機器６の電池切れで、出力されるワイヤレス呼出信号のレベルが低い場合には、ワイヤレスインターホン３，４は、ワイヤレスコール機器電池切れ報知、例えば、ワイヤレスコール機器電池切れ報知音を出力する。コール呼出を受けているワイヤレスインターホン３，４は、ドアホン子器２との通話が可能であるが、その際のコールＬＥＤの点灯は、ドアホン通話終了後になされる。
【０１１０】
ワイヤレスインターホン親機３は、キャリア有無確認モードを、図１８に示すように行ってもよい。ここでは、５０ｍｓ毎に、監視周波数１、監視周波数２、監視周波数３を順次切り替えて、これら３つの監視周波数のワイヤレス信号の存在を監視している。そして、ある監視周波数、例えば、監視周波数１のワイヤレス信号が存在すれば、先述した送信データ有無確認モード、送信データ取り込みモードを順次実行する。
【０１１１】
このようにすれば、先述したように、ワイヤレスコール機器６からは４２６ＭＨｚのワイヤレス信号が出力され、副親機４からは４４０ＭＨｚのワイヤレス信号が出力され、ワイヤレスインターホン子機５からは４２１ＭＨｚのワイヤレス信号が出力されるので、これら３つの周波数の信号を順次監視し、存在するワイヤレス信号の周波数の違いにより、ワイヤレスコール機器６からのものか、副親機４からのものか、子機５からのものかを判断することができる。また、３つの受信回路を動作させる必要がなく、１つの受信回路の動作で、３周波数分のワイヤレス信号の監視、受信が可能となり、消費電力を１／３にできる。
【０１１２】
なお、ワイヤレスインターホン親機３は、自身以外の機器の登録設定状態によって、２あるいは３つの監視周波数のうち、不要な監視周波数を判断し、その監視周波数に切り替わったときには、監視動作を中断するようにしてもよく、例えば、子機５が登録されていなければ、４２１ＭＨｚの監視周波数は不要と判断し、その監視周波数の信号監視は中断する。こうすれば、信号監視のための消費電力をより低減させることができる。
【０１１３】
ここで、ワイヤレスインターホン親機３は、ワイヤレスコール機器６からワイヤレス信号を受け付けたときには、その受け付けを、通話開始指示と判断するようにしてもよい。これについて、図１９とともに説明する。
【０１１４】
例えば、ドアホン子器２の押釦２３が操作されると、ドアホン子器２からは、「ピンポン」などといったバックトーン音を出力する。すると、ワイヤレス中継器１では、通話ＬＥＤが点滅する。なお、ワイヤレス中継器１は、電源がオンしていれば、電源ＬＥＤを常時点灯している。
【０１１５】
このとき、ワイヤレス中継器４から親機３に対して、ワイヤレス呼出信号が出力され、これを受けた親機３は、「ピンポンピンポン」などといった来客呼出音を出力するとともに、通話ＬＥＤを点滅する。
【０１１６】
そして、ワイヤレスコール機器６が押釦操作されると、親機３はこれを受け付け、通話釦の操作があったときと同様に、「ピー」などといったキータッチ音を通話準備音として出力した後、２分間、ドアホン子器２との通話状態とする。なお、ドアホン子器３との通話状態のときには、ワイヤレス中継器１と親機３はそれぞれ、通話ＬＥＤを点灯させる。この通話可能状態は、親機３の通話釦が再度操作されると終了するが、通話開始から２分後には、通話釦が操作されなくても、先述したキータッチ音を出力して自動終了する。
【０１１７】
ワイヤレスインターホン親機３は、特定のワイヤレスコール機器６からのワイヤレス信号を受け付けたときには、ワイヤレス中継器４に対してワイヤレス信号を出力して、そのワイヤレス中継器４に接続されたドアホン子器２から所定の警報音を出力させる。これについて、図２０とともに説明する。
【０１１８】
通常は、ワイヤレスインターホン親機３は、ワイヤレスコール機器６が押釦操作されると、そのワイヤレスコール機器６からのワイヤレス呼出信号を受け付け、「コール１」として登録された機器６からの呼出であれば、コールＬＥＤのうち、「コール１」のＬＥＤを点灯させるとともに、「プププププププププ」などといったコール呼出音を出力する。なお、「コール１」のＬＥＤの点灯は、一定時間（例えば３分間）継続される。このとき、ワイヤレスインターホン親機３は、副親機４や子機５に対して、ワイヤレス呼出信号を出力し、「コール１」のＬＥＤを点灯させるとともに、コール呼出音を出力させる。
【０１１９】
ところが、特定のワイヤレスコール機器６として登録されたものでの操作があれば、ワイヤレスインターホン親機３は、すべてのコールＬＥＤを点滅させ、所定の警報音を出力させる。これとともに、ワイヤレス中継器１、副親機４、子機５といった、自身以外の全ての機器にワイヤレス呼出信号を出力する。このとき、副親機４、子機５は、すべてのコールＬＥＤを点滅させ、所定の警報音を出力し、ワイヤレス中継器１は、ドアホン子器２から、所定の警報音を出力させる。
【０１２０】
これによって、緊急事態が発生した際や、独居世帯で使用される場合などにおいて、屋外へも緊急事態を知らせることができるため、救済される可能性が高くなり、より高い安心感が得られる。
【０１２１】
ここで、ワイヤレスコール機６は、窓や扉の開閉によって、オン信号、オフ信号をワイヤレス信号として出力する接点入力送信器で構成することができ、このとき、ワイヤレスインターホン親機３は、接点入力送信器からのオン信号、オフ信号の入力に同期して、他のワイヤレスインターホンに対して、ワイヤレス信号を出力して呼び出すようにしている。これについて、図２１とともに説明する。
【０１２２】
例えば、接点入力送信器が、窓や扉の開放によってオン信号を出力すると、親機３は、「コール２」として登録された機器６からの出力であれば、「コール２」のＬＥＤを点灯させ、「プププッ」などといったコール呼出音を出力させる。これとともに、ワイヤレス中継器１、副親機４、子機５といった、自身以外の全ての機器にワイヤレス呼出信号を出力する。このとき、副親機４、子機５は、「コール２」のＬＥＤを点灯させ、「プププッ」などといったコール呼出音を出力し、ワイヤレス中継器１は、通話ＬＥＤを点灯させる。
【０１２３】
そして、接点入力送信器が、窓や扉の閉鎖によってオフ信号を出力すると、親機３は、「コール２」のＬＥＤの点灯を中止し、「プププッ」などといったコール呼出音を出力する。これとともに、ワイヤレス中継器１、副親機４、子機５といった、自身以外の全ての機器にワイヤレス呼出信号を出力する。このとき、副親機４、子機５は、「コール２」のＬＥＤの点灯を中止し、「プププッ」などといったコール呼出音を出力し、ワイヤレス中継器１は、通話ＬＥＤを点灯させる。  これによって、窓や扉などの住戸の周辺の状態が監視可能となり、簡易的な防犯システムとしても兼用することができるため、より高い安心感が得られる。
【発明の効果】
【０１２４】
以上の説明からも理解できるように、本発明の請求項１に記載のワイヤレスインターホンシステムでは、ドアホン子器とワイヤレス中継器は、信号線で接続されており、ワイヤレスインターホンはワイヤレス中継器とワイヤレス信号の送受をするようにしているので、ドアホンとワイヤレス中継器とを施工しておけば、ワイヤレスインターホンをユーザが任意の場所に設置または移動させることができ、利便性が高い。
【０１２５】
また、ワイヤレス中継器を屋内に設けておけば、ワイヤレスインターホンとの間でのワイヤレス信号の送受を屋内ですることができ、電波状態が良好に保て、ドアホン子器とワイヤレスインターホンとの通話が快適にできる。
更に、ワイヤレス中継器及びワイヤレスインターホンは、複数のデータフレームのうち、何番目のデータフレームを受信するかによって、そのデータフレームで規定される制御コマンドを実行するタイミングを決定するので、受信フレームに応じて、そのフレームで規定された制御コマンドの実行を遅らせることができ、システムの全ての機器が同じタイミングで、制御コマンドを実行することができ、ドアホン子器からの呼出に対して、全てのワイヤレスインターホンで同じタイミングで呼出音を出力するなどの動作が可能となる。
請求項２では、ワイヤレスインターホンのうち、いずれか１台をワイヤレスインターホン親機とし、その親機のみに、自身以外の全ての機器を登録設定するようにしているので、１システムを構築する際に、被登録機器１台の登録に、１システムを構成する台数分の登録作業をする必要がなく、被登録機器１台の登録が、親機に対する１回の登録作業だけですみ、利便である。
また、ワイヤレスインターホン親機は、ワイヤレスコール機器からワイヤレス信号を受信したときには、その周波数を変換して、他のワイヤレスインターホンに転送するので、法規上、使用可能周波数の異なるコール呼出システムと無線通話システムの双方に対応することができる。
【０１２６】
請求項３では、ワイヤレスインターホン間で、所定のワイヤレス信号の送受をして、ワイヤレスインターホン間の内線通話をする構成としているので、ワイヤレスインターホンをユーザが任意の場所に設置または移動して、他のワイヤレスインターホンとの通話をすることができる。
【０１２７】
請求項４では、ワイヤレス中継器とワイヤレスインターホンとの間で、所定のワイヤレス信号の送受をして、ワイヤレスインターホンでドアホン子器のモニタリングをする構成にしているので、ワイヤレスインターホンをユーザが任意の場所に設置または移動して、ドアホン子器のモニタリングをすることができる。
【０１２８】
請求項５に記載のワイヤレスインターホンシステムでは、ワイヤレスインターホンは、ハンズフリー通話機能を備えるので、ユーザがハンドセットを持つことなく、手放しで通話やモニタリングをすることができ、利便である。
【０１２９】
請求項６に記載のワイヤレスインターホンシステムでは、ワイヤレスインターホンにおける設定操作によって、ワイヤレスインターホンとドアホン子器との間の強制送話／強制受話の設定をする構成としているので、屋外または屋内で騒音が生じ、ドアホン子器との通話に支障が発生しても、ワイヤレスインターホンにおける操作をするだけで、強制送話や強制受話をすることができ、利便である。
【０１３０】
請求項７に記載のワイヤレスインターホンシステムでは、ワイヤレス中継器における設定操作によって、ワイヤレスインターホンとドアホン子器との間の強制送話／強制受話の設定をする構成としているので、請求項６と同様に、屋外または屋内で騒音が生じ、ドアホン子器との通話に支障が発生しても、ワイヤレス中継器における所定操作をするだけで、強制送話や強制受話をすることができ、利便である。
【０１３１】
また、設定操作をワイヤレス中継器でするようにしているため、ワイヤレスインターホンのそれぞれに、設定のための部品を搭載する必要がなく、その製造コストが低減する。
【０１３２】
請求項８に記載のワイヤレスインターホンシステムでは、ワイヤレスインターホンから、他のワイヤレスインターホンに対して内線呼出をし、呼出を受け付けたワイヤレスインターホンのうち、応答した１つのワイヤレスインターホンとの間でのみ、内線通話する構成としているので、２者以外の機器が通話に割り込むことができず、その通話内容が２者以外に漏れることを未然に防止できる。
【０１３３】
請求項９に記載のワイヤレスインターホンシステムでは、複数の通話チャンネルを備えており、所定の方式で空きチャンネルを選択して、その空きチャンネルを利用して、ドアホン子器とワイヤレスインターホン、または、ワイヤレスインターホン間の通話路を形成することによって、複数の通話ペアが同時並行して通話できる構成としているので、従来の有線式のインターホンシステムでは成しえなかった複数ペアの同時並行通話が可能となり、利便性が高い。
【０１３４】
請求項１０に記載のワイヤレスインターホンシステムでは、ワイヤレスインターホンは、設定したドアホン子器が定義されたワイヤレス中継器との間でのみワイヤレス信号の送受をする構成としているので、システム内においてドアホン子器を複数台設けることができ、例えば、玄関口と勝手口の２箇所でドアホン子器を使用したい場合や、２世帯住宅などでドアホン子器を使用したいといったニーズにも、１つのシステムで対応することができる。
【０１３５】
請求項１１に記載のワイヤレスインターホンシステムでは、通話音量切換スイッチの操作によって、ドアホン子器及びワイヤレスインターホンに対する音声信号の出力レベルを切り替えるので、ワイヤレス中継器にどの種類のドアホン子器が接続されても、最適な通話音量にてドアホン通話をすることができる。
【０１３６】
請求項１２に記載のワイヤレスインターホンシステムでは、ドアホンモニタ釦の操作によって、ワイヤレス中継器に対してワイヤレス信号を出力して呼び出し、これを受け付けたワイヤレス中継器は、ドアホン子器に入力された音声をワイヤレスインターホンに対して出力して、ワイヤレスインターホンにおけるドアホン子器のモニタリングをさせるので、ワイヤレスインターホンでドアホンモニタ釦を操作すれば、ワイヤレスインターホンから、ドアホン子器を通じて屋外の様子が確認でき、防犯効果を向上させることができる。
【０１３７】
請求項１３に記載のワイヤレスインターホンシステムでは、ドアホン通話釦の操作によって、ワイヤレス中継器に対してワイヤレス信号を出力して呼び出し、これを受け付けたワイヤレス中継器は、ドアホン子器とワイヤレスインターホンとの間の通話路を形成するので、来客中にドアホン通話がタイムアップしたときの通話再開をしたり、玄関先など、ドアホン子器の設置場所の近辺にいる人（子供など）に対して、呼びかけをしたい場合には、ドアホン通話釦を操作するだけで、ドアホン子器と通話状態にできる。
【０１３８】
請求項１４に記載のワイヤレスインターホンシステムでは、ワイヤレス中継器は、ドアホン子器の動作電源を供給する電源供給手段を備え、信号線を通じてドアホン子器に電源供給をするので、ドアホン子器に電池を搭載する必要がなく、ドアホン子器の小型化、軽量化などが可能になる。
【０１３９】
請求項１５に記載のワイヤレスインターホンシステムでは、信号線として、２線式信号線を接続するための端子を備えるので、既設の有線式のインターホンシステムで使用されている２線式信号線を流用することができ、ワイヤレスインターホンシステムを容易に施工することができる。
【０１４０】
請求項１６に記載のワイヤレスインターホンシステムでは、ワイヤレスインターホン親機は、ワイヤレスコール機器からワイヤレス信号を受信したときには、その周波数を変換して、他のワイヤレスインターホンに転送するので、法規上、使用可能周波数の異なるコール呼出システムと無線通話システムの双方に対応できる。
【０１４１】
また、受信したワイヤレス信号の出力レベルを増幅して、他のワイヤレスインターホンに転送するので、ワイヤレス信号を、より遠く離れたインターホンまでとばすことができ、信頼性が向上する。
【０１４２】
請求項１７に記載のワイヤレスコールインターホンシステムでは、ワイヤレスインターホンのうち、ワイヤレスインターホン親機以外の少なくとも１台を、ワイヤレスインターホン副親機としたので、そのワイヤレスインターホン副親機では、ワイヤレスインターホンの中から、フレキシブルに通信相手を設定することができ、利便である。
【０１４３】
また、従来では、親機と子機の１：１、又は、１：Ｎのシステムしか構築することができなかったが、この副親機を導入することによって、どのペアでも通信可能な３台以上のシステムが構築できる。
【０１４４】
請求項１８に記載のワイヤレスコールインターホンシステムでは、ワイヤレスインターホン親機は、２つの監視周波数を順次切り替えることによって、ワイヤレス信号の存在を監視しており、いずれか一方の監視周波数のワイヤレス信号が存在していれば、監視周波数を固定してそのワイヤレス信号を受信し、受信したワイヤレス信号よりデータフレームを取り込むので、２周波数のうちどちらが送信されてくるか不明なワイヤレス信号を受信するために、２つの受信回路を動作させる必要がなく、１つの受信回路の動作で、２周波数分のワイヤレス信号の監視、受信が可能となり、消費電力を半減できる。
【０１４５】
請求項１９に記載のワイヤレスコールインターホンシステムでは、ワイヤレスインターホン親機は、３つの監視周波数を順次切り替えることによって、ワイヤレス信号の存在を監視しており、いずれかの監視周波数のワイヤレス信号が存在していれば、監視周波数を固定してそのワイヤレス信号を受信し、受信したワイヤレス信号よりデータフレームを取り込むので、３周波数のうちどちらが送信されてくるか不明なワイヤレス信号を受信するために、３つの受信回路を動作させる必要がなく、１つの受信回路の動作で、３周波数分のワイヤレス信号の監視、受信が可能となり、消費電力を１／３にできる。
【０１４６】
請求項２０に記載のワイヤレスコールインターホンシステムでは、ワイヤレスインターホン親機は、自身以外の機器の登録設定状態によって、不要な監視周波数を判断し、その監視周波数に切り替わったときには、監視動作を中断するので、消費電力をより低減することができる。
【０１４７】
請求項２１に記載のワイヤレスコールインターホンシステムでは、ワイヤレスインターホン親機は、ワイヤレスコール機器からのワイヤレス信号の受け付けを、通話開始指示と判断するので、ワイヤレスインターホン親機から離れた所にいても、ワイヤレスコール機器を操作すれば、ドアホン子器や他のワイヤレスインターホンとの間で通話をすることができ、利便である。
【０１４８】
請求項２２に記載のワイヤレスコールインターホンシステムでは、ワイヤレスインターホン親機は、特定のワイヤレスコール機器からのワイヤレス信号を受け付けたときには、ワイヤレス中継器に対してワイヤレス信号を出力して、そのワイヤレス中継器に接続されたドアホン子器から警報音を出力させるので、緊急事態が発生した際や、独居世帯で使用される場合などにおいて、屋外へも緊急事態を知らせることができるため、救済される可能性が高くなり、より高い安心感が得られる。
【０１４９】
請求項２３に記載のワイヤレスコールインターホンシステムでは、ワイヤレスインターホン親機は、接点入力送信器からのオン信号、オフ信号の入力に同期して、他のワイヤレスインターホンに対して、ワイヤレス信号を出力することによって呼び出すので、窓や扉などの住戸の周辺の状態が監視可能となり、簡易的な防犯システムとしても兼用することができるため、より高い安心感が得られる。
【図面の簡単な説明】
【図１】  本発明のワイヤレスインターホンシステムの要部構成の一例を示す図である。
【図２】  ワイヤレスコールインターホンシステムの要部構成の一例を示す図である。
【図３】  通話路形成動作について説明するための図である。
【図４】  ワイヤレス信号の構成の一例を示す図である。
【図５】  受信フレームに対する動作処理待ち時間の設定状態を示す図である。
【図６】  ワイヤレスインターホンシステムの内部構成の第１例を示す図である。
【図７】  図６のワイヤレスインターホンシステムの動作について説明するためのタイムチャートである。
【図８】  ワイヤレスインターホンシステムの内部構成の第２例を示す図である。
【図９】  ワイヤレスインターホンシステムの内部構成の第３例を示す図である。
【図１０】  図９のワイヤレスインターホンシステムの動作について説明するためのタイムチャートである。
【図１１】  ワイヤレスインターホンシステムの内部構成の第４例を示す図である。
【図１２】  図１１のワイヤレスインターホンシステムの動作について説明するためのタイムチャートである。
【図１３】  ワイヤレスコールインターホンシステムを構成する機器間の通信可否状態を示す図である。
【図１４】  ワイヤレスコールインターホンシステムにおける登録作業について説明するための図である。
【図１５】  ワイヤレスコールインターホンシステムにおける登録作業について説明するための図である。
【図１６】  ワイヤレスインターホン親機のワイヤレス信号監視動作の一例について説明するための図である。
【図１７】  ワイヤレスインターホン親機の動作の一例について説明するための図である。
【図１８】  ワイヤレスインターホン親機のワイヤレス信号監視動作の一例について説明するための図である。
【図１９】  ワイヤレスコールインターホンシステムの動作の一例について説明するための図である。
【図２０】  ワイヤレスコールインターホンシステムの動作の他例について説明するための図である。
【図２１】  ワイヤレスコールインターホンシステムの動作の更に他例について説明するための図である。
【図２２】  従来の有線式のインターホンシステムを示す図である。
【符号の説明】
１，１Ａ・・・ワイヤレス中継器
２・・・ドアホン子器
３，３Ａ，３Ｂ・・・ワイヤレスインターホン親機
４・・・ワイヤレスインターホン副親機
５・・・ワイヤレスインターホン子機
１０・・・ドアホンインタフェース
１３・・・通話音量切換スイッチ
３１・・・通話回路
３９・・・ドアホンモニタ釦
４０・・・ドアホン通話釦
Ｃ・・・ワイヤレスコール機器
Ｌ・・・２線式信号線
Ｔ・・・２線式信号線接続端子
【図１】
0003721988.tif 000002
【図２】
0003721988.tif 000003
【図３】
0003721988.tif 000004
【図４】
0003721988.tif 000005
【図５】
0003721988.tif 000006
【図６】
0003721988.tif 000007
【図７】
0003721988.tif 000008
【図８】
0003721988.tif 000009
【図９】
0003721988.tif 000010
【図１０】
0003721988.tif 000011
【図１１】
0003721988.tif 000012
【図１２】
0003721988.tif 000013
【図１３】
0003721988.tif 000014
【図１４】
0003721988.tif 000015
【図１５】
0003721988.tif 000016
【図１６】
0003721988.tif 000017
【図１７】
0003721988.tif 000018
【図１８】
0003721988.tif 000019
【図１９】
0003721988.tif 000020
【図２０】
0003721988.tif 000021
【図２１】
0003721988.tif 000022
【図２２】
0003721988.tif 000023